(57)【要約】【課題】カード体に形成されたエンボス文字の検査を容易に行うことができるエンボス文字検査装置を提供する。【解決手段】ステージ２１にエンボスカード２を配置した状態で、検査対象となるエンボス文字１５の一方側に、エンボスカード２へ斜め上方から光を照射する照明２２を設け、他方側に、照明２２で照らされたエンボスカード２の画像を斜め上方から取得するカメラ２３を設ける。照明２２を、その光が被膜層１４で全反射する入射角度３１でエンボスカード２に照射される位置に配置する。カメラ２３を、被膜層１４にて入射角度３１と同じ角度である反射角度３３で全反射した反射光を入力する位置に配置する。【選択図】　　　　図２
2004117239.tif 000002
【特許請求の範囲】
【請求項１】
印刷が被膜層で覆われるとともにエンボス文字が打ち出されたカード体を検査するエンボス文字検査装置において、
検査対象となるエンボス文字の一方側に設けられ、前記カード体へ斜め上方から光を照射する光源と、前記検査対象となるエンボス文字の他方側に設けられ、前記光源からの前記光で照らされた前記カード体の画像を斜め上方から取得する画像取得手段とを備え、
前記光が前記被膜層で全反射する入射角度の光路上の近傍位置に前記光源を配置し、前記被膜層で反射した反射光の反射角度の光路上の近傍位置に前記画像取得手段を配置したことを特徴とするエンボス文字検査装置。
【発明の詳細な説明】
【０００１】
【発明の属する技術分野】
本発明は、クレジットカード等の裏面から表面側へ打ち出されたエンボス文字を検査するエンボス文字検査装置に関する。
【０００２】
【従来の技術】
従来、図３に示すように、クレジットカード１０１には、裏面から表面側へ打ち出されたエンボス文字１０２が形成されており、このエンボス文字１０２を検査する際には、エンボス文字検査装置１０３が用いられていた。
【０００３】
このエンボス文字検査装置１０３は、検査位置に配置されたクレジットカード１０１の真上から光を照射する落射照明１１１を備えている。該落射照明１１１は、前記クレジットカード１０１の真上に配置されたハーフミラー１１２と、該ハーフミラー１１２の側部に設けられた照明装置１１３とからなり、該照明装置１１３からの光を、前記ハーフミラー１１２で反射して、前記クレジットカード１０１の真上から落射できるように構成されている。
【０００４】
前記ハーフミラー１１２の真上には、カメラ１２１が設けられており、前記ハーフミラー１１２を透過した前記クレジットカード１０１表面の画像を取得できるように構成されている。これにより、前記カメラ１２１で取得された画像を解析することで、前記クレジットカード１０１に形成された前記エンボス文字１０２を検査できるように構成されている。
【０００５】
【発明が解決しようとする課題】
しかしながら、前述したクレジットカード１０１の基材表面には、文字が印刷されており、これらの文字は、透明な被膜層で覆われ保護されている。このため、この印刷もカメラ１２１で取得されてしまい、取得した画像からエンボス文字１０２を識別しづらく、画像処理の複雑化を招いていた。
【０００６】
本発明は、このような従来の課題に鑑みてなされたものであり、カード体に形成されたエンボス文字の検査を容易に行うことができるエンボス文字検査装置を提供することを目的とするものである。
【０００７】
【課題を解決するための手段】
前記課題を解決するために本発明のエンボス文字検査装置にあっては、印刷が被膜層で覆われるとともにエンボス文字が打ち出されたカード体を検査するエンボス文字検査装置において、検査対象となるエンボス文字の一方側に設けられ、前記カード体へ斜め上方から光を照射する光源と、前記検査対象となるエンボス文字の他方側に設けられ、前記光源からの前記光で照らされた前記カード体の画像を斜め上方から取得する画像取得手段とを備え、前記光が前記被膜層で全反射する入射角度の光路上の近傍位置に前記光源を配置し、前記被膜層で反射した反射光の反射角度の光路上の近傍位置に前記画像取得手段を配置した。
【０００８】
すなわち、このエンボス文字検査装置でエンボス文字が形成されたカード体を検査する際には、検査対象となるエンボス文字の一方側に設けられた光源からの光をカード体へ斜め上方から照射する。このとき、前記光源は、照射する光がカード体の被膜層で全反射する入射角度の光路上の近傍位置に配置されている。このため、前記カード体のエンボス文字に照射された光は、乱反射する一方、カード体の平面部分に照射された光は、前記被膜層にて全反射される。
【０００９】
そして、前記光源からの光で照らされたカード体の画像は、検査対象となるエンボス文字の他方側に設けられた画像取得手段によって斜め上方から取得される。このとき、この画像取得手段は、前記被膜層で反射した反射光の反射角度の光路上の近傍位置に配置されている。このため、前記光が乱反射されるカード体のエンボス文字は、低輝度の黒色で入力される一方、前記光が全反射されるカード体の平面部分は、高輝度の白色で入力される。
【００１０】
【発明の実施の形態】
以下、本発明の一実施の形態を図に従って説明する。図１は、本実施の形態にかかるエンボス文字検査装置１を示す平面図で、図２には、その側面図が示されており、このエンボス文字検査装置１は、クレジットカード等のカード体であるエンボスカード２を検査する装置である。
【００１１】
すなわち、このエンボスカード２は、プラスチック製の基材１１からなり、その表面１２及び裏面１３には、文字などが印刷されている。これらの印刷は、透明な被膜層１４で覆われ保護されている。また、このエンボスカード２には、数字などの複数のエンボス文字１５，・・・が、裏面１３から表面１２側へ打ち出されており、文字列１６が形成されている（図１参照）。
【００１２】
前記エンボス文字検査装置１は、前記エンボスカード２を載置するステージ２１を備えており、該ステージ２１の所定位置に前記エンボスカード２を裏返して配置した状態で（表からの検査も可能である）、検査対象となるエンボス文字１５の一方側には、前記エンボスカード２へ斜め上方から光を照射する光源としての照明２２が設けられている。また、前記検査対象となるエンボス文字１５の他方側には、前記照明２２からの光で照らされた前記エンボスカード２の画像を斜め上方から取得する画像取得手段としてのカメラ２３が設けられており、該カメラ２３で取得された画像は、図外の画像処理装置へ伝達されるように構成されている。
【００１３】
前記照明２２は、その光を前記被膜層１４で全反射する入射角度３１でエンボスカード２に照射するように構成されており、当該照明２２は、その中心が前記光の照射光路３２上の部位に、該照射光路３２に直交する角度で配置されている。また、前記カメラ２３は、前記被膜層１４で全反射した反射光が入力されるように構成されており、前記エンボスカード２に対して前記入射角度３１と同じ角度である反射角度３３で反射した反射光の反射光路３４上の部位に、該反射光路３４に沿った角度で配置されている。つまり、前記ステージ２１に配置された前記エンボスカード２に対する前記光及び前記反射光の角度θは、同じ角度となるように設定されている。
【００１４】
以上の構成にかかる本実施の形態において、エンボス文字１５，・・・が形成されたエンボスカード２を検査する際には、該エンボスカード２をステージ２１の所定箇所に配置し、検査対象となるエンボス文字１５，・・・の一方側に設けられた照明２２からの光をエンボスカード２へ斜め上方から照射する。このとき、前記照明２２は、照射する光がエンボスカード２の被膜層１４で全反射する入射角度３１の入射光路３２上に配置されており、前記エンボスカード２のエンボス文字１５，・・・に照射された光を、乱反射させる一方、エンボスカード２の平面部分に照射された光を、前記被膜層１４にて全反射させることができる。
【００１５】
そして、前記照明２２からの光で照らされたエンボスカード２の画像は、検査対象となるエンボス文字１５，・・・の他方側に設けられたカメラによって斜め上方から取得される。このとき、このカメラ２３は、前記被膜層１４で反射した反射光の反射角度３３の反射光路３４上に配置されており、前記光が乱反射されるエンボスカード２のエンボス文字１５を低輝度の黒色で入力する一方、前記光が全反射されるエンボスカード２の平面部分を高輝度の白色で入力することができる。これにより、前記エンボスカード２の平面部分とエンボス文字１５，・・・とを明確に区分することができる。
【００１６】
また、前記照明２２からの光は、エンボスカード２の印刷を覆う被覆層１４で全反射され、前記カメラ２３に入力される。このため、該カメラ２３への印刷文字の写り込みを確実に防止することができる。
【００１７】
したがって、落射照明を利用してカード体の真上からの画像を取得する構造上、エンボス文字１５，・・・と共に基材に印刷された文字も写り込んでしまう従来と比較して、エンボス文字１５，・・・の識別を確実に行うことができる。これにより、エンボス文字１５，・・・の検査が容易となる。
【００１８】
【発明の効果】
以上説明したように本発明のエンボス文字検査装置にあっては、画像取得手段で取得される画像において、光源からの光が全反射されるカード体の平面部分を、高輝度の白色で入力する一方、光が乱反射されるカード体のエンボス文字部分を、低輝度の黒色で入力することができる。これにより、前記平面部分と前記エンボス文字部分とを明確に区分することができる。
【００１９】
また、前記光源からの光は、カード体の印刷を覆う被覆層で全反射され、画像取得手段にて取得される。このため、画像取得手段への前記印刷の写り込みを防止することができる。
【００２０】
したがって、落射照明を利用してカード体の真上からの画像を取得する構造上、エンボス文字と共に基材に印刷された文字も写り込んでしまう従来と比較して、エンボス文字の識別を確実に行うことができる。これにより、エンボス文字の検査が容易となる。
【図面の簡単な説明】
【図１】本発明の一実施の形態を示す平面図である。
【図２】同実施の形態を示す側面図である。
【図３】従来のエンボス文字検査装置を示す模式図である。
【符号の説明】
１　　エンボス文字検査装置
２　　エンボスカード
１１　　基材
１４　　被膜層
１５　　エンボス文字
２２　　照明（光源）
２３　　カメラ（画像取得手段）
３１　　入射角度
３２　　照射光路
３３　　反射角度
３４　　反射光路
【図１】
2004117239.tif 000003
【図２】
2004117239.tif 000004
【図３】
2004117239.tif 000005